(57)【要約】【課題】  従来のダイヤルスイッチは、第１のダイヤル操作部材および第２のダイヤル操作部材毎にクリック板を設けているため、構成部品点数が多かった。【解決手段】  １つの板バネ１４に、プレート１５に形成された突起１５ａに係合する突出部１４ａ、および足部材１２ｂに形成された突起１２ｃに係合する突出部１４ｂが、形成される。このため、プレート１５に形成された突起１５ａおよび足部材１２ｂに形成された突起１２ｃ毎に、各突起１５ａ，１２ｃと係合する突出部を有する板バネ等の板状弾性部材を複数備えずにすむ。従って、従来のダイヤルスイッチに比べて、構成部品点数を減らしたダイヤル操作装置６を提供することができると共に、減らした構成部品点数に応じてダイヤル操作装置６に要するスペースを小さくすることができる。【選択図】  図２
2011018577.tif 000002
【特許請求の範囲】
【請求項１】
支持体に回動自在に取り付けられる第１のダイヤル操作部材と、
前記第１のダイヤル操作部材の回動軸と同じ回動軸まわりに回動自在に前記支持体に取り付けられる第２のダイヤル操作部材とを備えて構成されるダイヤル操作装置において、
前記第１のダイヤル操作部材の操作部と前記支持体を挟む反対側で前記第１のダイヤル操作部材に設けられる、前記回動軸に垂直な面における前記回動軸まわりに所定間隔で複数の突起が形成された円板状部材と、
前記第２のダイヤル操作部材の操作部と前記支持体を挟む反対側で前記第２のダイヤル操作部材に設けられる、前記回動軸に垂直な面における前記回動軸まわりに所定間隔で複数の突起が形成された、板状弾性部材を跨ぐ足部材と、
前記円板状部材に形成された突起に係合する突出部および前記足部材に形成された突起に係合する突出部が形成され、各前記突出部を各前記突起に係合させる方向に付勢する前記板状弾性部材とを備えていることを特徴とするダイヤル操作装置。
【請求項２】
請求項１に記載のダイヤル操作装置において、
前記板状弾性部材は、各前記突出部により、各前記突起が形成された前記円板状部材および前記足部材を前記支持体から離れる向きに付勢することを特徴とするダイヤル操作装置。
【請求項３】
請求項１または請求項２に記載のダイヤル操作装置において、
前記円板状部材に形成された突起および前記足部材に形成された突起は、前記回動軸に垂直な面方向において前記回動軸の軸心から異なる距離離れ、前記回動軸方向において互いに重ならない位置に配置されていることを特徴とするダイヤル操作装置。
【請求項４】
請求項１から請求項３のいずれか１項に記載のダイヤル操作装置を備えたことを特徴とするカメラ。
【発明の詳細な説明】
【技術分野】
【０００１】
本発明は、第１のダイヤル操作部材と第２のダイヤル操作部材とを備えたダイヤル操作装置、およびこれを備えたカメラに関するものである。
【背景技術】
【０００２】
従来、このようなダイヤル操作装置としては、例えば、特許文献１に開示されたダイヤルスイッチがある。このダイヤルスイッチには、回転する第１のダイヤル操作部材の作動にクリック力を与えるクリック板と、回転する第２のダイヤル操作部材の作動にクリック力を与えるクリック板とが設けられている。これらクリック板により、第１のダイヤル操作部材の３つのポジションおよび第２のダイヤル操作部材の２つのポジションから、各ダイヤル操作部材が不用意に動かない操作性の良いクリック感を得ている。
【先行技術文献】
【特許文献】
【０００３】
【特許文献１】特開平９−５００７６号公報
【発明の概要】
【発明が解決しようとする課題】
【０００４】
しかしながら、特許文献１に開示される上記従来のダイヤルスイッチは、第１のダイヤル操作部材および第２のダイヤル操作部材毎にクリック板を設けているため、構成部品点数が多かった。
【課題を解決するための手段】
【０００５】
本発明はこのような課題を解決するためになされたもので、
支持体に回動自在に取り付けられる第１のダイヤル操作部材と、
第１のダイヤル操作部材の回動軸と同じ回動軸まわりに回動自在に支持体に取り付けられる第２のダイヤル操作部材とを備えて構成されるダイヤル操作装置において、
第１のダイヤル操作部材の操作部と支持体を挟む反対側で第１のダイヤル操作部材に設けられる、回動軸に垂直な面における回動軸まわりに所定間隔で複数の突起が形成された円板状部材と、
第２のダイヤル操作部材の操作部と支持体を挟む反対側で第２のダイヤル操作部材に設けられる、回動軸に垂直な面における回動軸まわりに所定間隔で複数の突起が形成された、板状弾性部材を跨ぐ足部材と、
円板状部材に形成された突起に係合する突出部および足部材に形成された突起に係合する突出部が形成され、各突出部を各突起に係合させる方向に付勢する板状弾性部材とを備えていることを特徴とする。
【０００６】
この構成によれば、１つの板状弾性部材に、円板状部材に形成された突起に係合する突出部、および足部材に形成された突起に係合する突出部が、形成される。このため、円板状部材に形成された突起および足部材に形成された突起毎に、各突起と係合する突出部を有する板状弾性部材を複数備えずにすむ。従って、従来のダイヤルスイッチに比べて、構成部品点数を減らしたダイヤル操作装置を提供することができると共に、減らした構成部品点数に応じてダイヤル操作装置に要するスペースを小さくすることができる。
【０００７】
また、本発明は、板状弾性部材が、各突出部により、各突起が形成された円板状部材および足部材を支持体から離れる向きに付勢することを特徴とする。
【０００８】
この構成によれば、各突起が形成された円板状部材および足部材は、板状弾性部材の各突出部により、支持体から離れる向きに付勢される。このため、円板状部材が設けられた第１のダイヤル操作部材および足部材が設けられた第２のダイヤル操作部材は共に回動軸方向における一方向に付勢され、各ダイヤル操作部材の回動軸方向における支持体への取り付けガタが低減される。従って、各ダイヤル操作部材は回動軸方向に遊ぶことなく回動操作され、ダイヤル操作装置の品質は向上する。
【０００９】
また、本発明は、円板状部材に形成された突起および足部材に形成された突起が、回動軸に垂直な面方向において回動軸の軸心から異なる距離離れ、回動軸方向において互いに重ならない位置に配置されていることを特徴とする。
【００１０】
この構成によれば、円板状部材に形成された突起および足部材に形成された突起は、回動軸の軸心から異なる距離離れて、回動軸方向において互いに重ならない位置に配置される。このため、これら各突起と係合する各突出部も互いに重ならない位置に形成されることとなり、板状弾性部材は、各突出部を重ねる複雑な形状でなく、単純な形状になる。従って、例えば、部品材料をプレス機によって１回プレスすることで完成するような簡単な工程で板状弾性部材の製造が行えると共に、板状弾性部材の形状が単純な形状をしていることによりダイヤル操作装置の組み立てが容易に行える。
【発明の効果】
【００１１】
本発明によれば、上記のように、従来のダイヤルスイッチに比べて、構成部品点数を減らしたダイヤル操作装置を提供することができると共に、減らした構成部品点数に応じてダイヤル操作装置に要するスペースを小さくすることができる。
【図面の簡単な説明】
【００１２】
【図１】本発明の一実施形態によるダイヤル操作装置を備えたデジタルカメラの外観を示す正面斜視図である。
【図２】図１に示すデジタルカメラに設けられたダイヤル操作装置の分解斜視図である。
【図３】図２に示すダイヤル操作装置の組立時における縦断面図である。
【図４】図２に示すダイヤル操作装置の組立時において板バネをカメラ筐体に固定して取り付ける際の取付作業工程図である。
【発明を実施するための形態】
【００１３】
次に、本発明によるダイヤル操作装置をデジタルカメラの撮影モードダイヤルおよびレリーズモードダイヤルに適用した一実施の形態について説明する。
【００１４】
図１は、この一実施の形態によるダイヤル操作装置を備えたデジタルカメラ１の外観を示す正面斜視図である。
【００１５】
デジタルカメラ１のカメラ筐体１ａの正面中央部には、被写界からの光を撮像素子に導く光学レンズユニット２が設けられている。光学レンズユニット２の右上方には、セルフタイマランプ３が設けられており、左上方には、シャッターボタン４が設けられている。また、シャッターボタン４後方のデジタルカメラ１の肩部上面には、撮影時の種々の情報が表示される撮影情報表示パネル５が設けられており、反対側の肩部上面にはダイヤル操作装置６が設けられている。また、デジタルカメラ１の中央上部のペンタ部１Ａには、被写体照明装置などを取り付けるためのアクセサリシュー７が設けられている。
【００１６】
図２は、図１に示すデジタルカメラ１のカメラ筐体１ａに設けられたダイヤル操作装置６の分解斜視図であり、図３は、図２に示すダイヤル操作装置６の組立時における縦断面図である。
【００１７】
ダイヤル操作装置６は、図２に示すように、上から順に、撮影モードダイヤル１１、レリーズモードダイヤル１２、板バネ１４、プレート１５、ビス１６、第１のブラシ１７、第２のブラシ１８、および回路基板１９から構成される。
【００１８】
撮影モードダイヤル１１は、第１のダイヤル操作部材を構成しており、操作部１１ａが回動操作されることで、種々の撮影シーンモードや、Ｐ（マルチプログラムオート），Ａ（絞り優先オート），Ｓ（シャッター優先オート），Ｍ（マニュアル）の基本露出モードが設定される。操作部１１ａの裏側中心部には、支持体を構成するカメラ筐体１ａへ向かう方向に突出する回動軸１１ｂが設けられている。この回動軸１１ｂは、カメラ筐体１ａの上方にあるレリーズモードダイヤル１２の中心に形成された軸孔、およびカメラ筐体１ａに形成された軸孔１ｂに回動自在に挿入されることで、撮影モードダイヤル１１は、カメラ筐体１ａに回動自在に取り付けられる。カメラ筐体１ａの裏側には板バネ１４が固定されている。この固定は、板バネ１４の取付孔１４ｃ，１４ｃにカメラ筐体１ａの裏面に形成されたボスが嵌合させられることなどで、行われる。この固定により、板バネ１４は、水平方向および軸心Ｃまわりに回動しないように固定される。レリーズモードダイヤル１２およびカメラ筐体１ａに挿入された回動軸１１ｂは、さらに板バネ１４の中心に形成された軸孔に回動自在に挿入され、カメラ筐体１ａの下方にあるプレート１５の中心に形成された軸孔に挿入される。この状態で、回動軸１１ｂの下端部にビス１６が螺合されることにより、プレート１５が回動軸１１ｂの先端に固定される。プレート１５は、撮影モードダイヤル１１の操作部１１ａとカメラ筐体１ａを挟む反対側で撮影モードダイヤル１１に設けられる円板状部材を構成しており、回動軸１１ｂに垂直な面における回動軸１１ｂまわりに所定間隔で複数の突起１５ａが形成されている。
【００１９】
また、レリーズモードダイヤル１２は、第２のダイヤル操作部材を構成しており、操作部１２ａが回動操作されることで、１コマ撮影、低速連写、高速連写などのレリーズモードが設定される。レリーズモードダイヤル１２は、操作部１２ａとカメラ筐体１ａを挟む反対側に、軸心Ｃに対称な一対の足部材１２ｂ，１２ｂが一体に設けられている。これらの足部材１２ｂ，１２ｂは、カメラ筐体１ａの軸孔１ｂを中心に対称に設けられた一対の取付孔１ｃ，１ｃに挿入されて板バネ１４を跨ぎ、レリーズモードダイヤル１２は、撮影モードダイヤル１１の回動軸１１ｂと同じ回動軸まわりに、取付孔１ｃ，１ｃの形成範囲内で回動自在にカメラ筐体１ａに取り付けられる。また、各足部材１２ｂ，１２ｂのＬ字形をした先端部上面には、レリーズモードダイヤル１２の回動軸に垂直な面における回動軸まわりに所定間隔で、複数の突起１２ｃが形成されている。これら足部材１２ｂ，１２ｂに形成された突起１２ｃおよびプレート１５に形成された突起１５ａは、回動軸に垂直な面方向において回動軸の軸心Ｃから異なる距離離れ、回動軸方向において互いに重ならない位置に配置される。本実施形態では、突起１２ｃおよび突起１５ａは、回動軸方向におけるほぼ同じ位置に配置される。板バネ１４は、プレート１５に形成された突起１５ａに係合する内径側の突出部１４ａ、および足部材１２ｂ，１２ｂに形成された突起１２ｃに係合する外径側の一対の突出部１４ｂがそれぞれ下方に突出して形成され、各突出部１４ａ，１４ｂを各突起１５ａ，１２ｃに係合させる方向に付勢する板状弾性部材を構成する。本実施形態では、板バネ１４は、各突出部１４ａおよび１４ｂにより、各突起１５ａおよび１２ｃが形成されたプレート１５および足部材１２ｂ，１２ｂをカメラ筐体１ａから離れる向き、すなわちデジタルカメラ１の内部側に付勢する。
【００２０】
また、プレート１５の下面には、円弧状をした第１のブラシ１７が取り付けられる。この取り付けは、第１のブラシ１７の取付孔１７ａ，１７ａにプレート１５の下面に形成されたボスが嵌合させられることなどで、行われる。第１のブラシ１７の一端部が割けて設けられた４本の接触部は、回路基板１９上に円状に形成された第１の回路パターン部１９ａと接触する。第１の回路パターン部１９ａは、第１のブラシ１７の各接触部との接触を電気的に検出し、この検出した接触部から撮影モードダイヤル１１が選択している撮影モードを検出する。また、第２のブラシ１８は、レリーズモードダイヤル１２の一方の足部材１２ｂの下面に取り付けられる。この取り付けは、第２のブラシ１８の取付孔１８ａに足部材１２ｂの下面に形成されたボスが嵌合させられることなどで、行われる。第２のブラシ１８の両端部が割けて設けられた複数の接触部は、回路基板１９上の第１の回路パターン部１９ａの外側に円弧状に設けられた第２の回路パターン部１９ｂと接触する。第２の回路パターン部１９ｂは、第２のブラシ１８の各接触部との接触を電気的に検出し、この検出した接触部からレリーズモードダイヤル１２が選択しているレリーズモードを検出する。
【００２１】
図４は、デジタルカメラ１の内部からカメラ筐体１ａの裏面側を見た図であり、板バネ１４をカメラ筐体１ａに固定して取り付ける際の取付作業工程図を示している。なお、同図において、図２および図３と同一または相当する部分には同一の符号を付してその説明は省略する。
【００２２】
同図（ａ）は、板バネ１４をカメラ筐体１ａに取り付ける取付作業開始時の状態を示している。レリーズモードダイヤル１２の足部材１２ｂ，１２ｂは、板バネ１４の腕部の２箇所の突出部１４ｂが突起１２ｃと係合するようになっているため、使用状態の回動方向の位置関係では、板バネ１４をカメラ筐体１ａに組み付けられない。一方、同図（ａ）に示す、レリーズモードダイヤル１２と板バネ１４とが相対的に９０度回動している状態では、取付孔１ｃ，１ｃに挿入されたレリーズモードダイヤル１２の２本の足部材１２ｂ，１２ｂの間に、板バネ１４が入り込める。この状態で板バネ１４をカメラ筐体１ａの裏面に向けて押し込むと、板バネ１４は足部材１２ｂ，１２ｂと干渉することなく回動が可能となる。その状態で板バネ１４を使用状態の位置関係近くまで回動させると、板バネ１４の各突出部１４ｂ，１４ｂが各足部材１２ｂ，１２ｂの一端側と接触する。各突出部１４ｂ，１４ｂと各足部材１２ｂ，１２ｂとの係合状態では板バネ１４に荷重が掛かり、板バネ１４に回動方向に適当な荷重を掛けながら、板バネ１４を同図（ｂ）に示す取付位置まで回動させる。この状態で、板バネ１４に設けられた２ヶ所の取付孔１４ｃ，１４ｃにカメラ筐体１ａの裏面から突き出したボスを嵌め込み、板バネ１４をカメラ筐体１ａに固定する。続いて、板バネ１４をカメラ筐体１ａの裏面側に押さえ込みながらレリーズモードダイヤル１２を回動させ、突出部１４ｂが１つの突起１２ｃを越えると、レリーズモードダイヤル１２と板バネ１４とは同図（ｃ）に示すようにカメラ筐体１ａに組み付けられ、カメラ筐体１ａから外れなくなる。その後、撮影モードダイヤル１１等がカメラ筐体１ａに組み付けられて行く。
【００２３】
この状態で、板バネ１４は、カメラ筐体１ａの取付面１ｄ（図３参照）を支点として、腕部の各突出部１４ｂ，１４ｂが各突起１２ｃ，１５ａと係合することにより、腕部に弾性力Ｆが働く。撮影モードダイヤル１１およびレリーズモードダイヤル１２は、この弾性力Ｆにより、カメラ筐体１ａの取付面１ｅおよび取付面１ｆに押し付けられる。このため、撮影モードダイヤル１１およびレリーズモードダイヤル１２は、カメラ筐体１ａとの間に生じるスラスト方向の隙間が詰められた状態で、カメラ筐体１ａに組み付けられる。また、この弾性力Ｆにより、板バネ１４の各突出部１４ｂ，１４ｂは弾性的に変形し、カメラ筐体１ａの取付面１ｄへ押し付けられ、板バネ１４の腕部位外は上下方向に変位できないようになる。
【００２４】
このような構成において、デジタルカメラ１の撮影モードの設定を行うために、撮影者が撮影モードダイヤル１１の操作部１１ａを回動操作すると、撮影モードダイヤル１１の回動に伴って撮影モードダイヤル１１に固定されたプレート１５が回動する。このプレート１５の回動により、複数の突起１５ａ間の凹部と嵌合した板バネ１４の突出部１４ａは、カメラ筐体１ａから離れる方向に付勢する板バネ１４の付勢力に抗して突起１５ａの斜面を上り、カメラ筐体１ａ方向へ弾性変形する。さらに、撮影モードダイヤル１１が回動すると、突出部１４ａは突起１５ａの頂点を越えた後に板バネ１４の付勢力によってカメラ筐体１ａから離れる方向へ復帰し、突起１５ａ間の隣の凹部に嵌合して、撮影モードダイヤル１１の回動が固定される。このように撮影モードダイヤル１１は、突出部１４ａが一つの突起１５ａを越える毎に一定の角度でクリック感を生じさせながら回動操作され、所望の撮影モードの位置に軽い力で変位しないように固定される。撮影モードダイヤル１１が固定された位置の撮影モードは、第１の回路パターン部１９ａが、プレート１５と共に回動する第１のブラシ１７の接触部に接触することにより、検出される。
【００２５】
また、デジタルカメラ１のレリーズモードの設定を行うために、撮影者がレリーズモードダイヤル１２の操作部１２ａを回動操作すると、レリーズモードダイヤル１２の回動に伴って足部材１２ｂが回動する。この足部材１２ｂの回動により、複数の突起１２ｃ間の凹部と嵌合した突出部１４ｂは、カメラ筐体１ａから離れる方向に付勢する板バネ１４の付勢力に抗して突起１２ｃの斜面を上り、カメラ筐体１ａ方向へ弾性変形する。さらに、レリーズモードダイヤル１２が回動すると、突出部１４ｂは突起１２ｃの頂点を越えた後に板バネ１４の付勢力によってカメラ筐体１ａから離れる方向へ復帰し、突起１２ｃ間の隣の凹部と嵌合して、レリーズモードダイヤル１２の回動が固定される。このようにレリーズモードダイヤル１２は、突出部１４ｂが一つの突起１２ｃを越える毎に一定の角度でクリック感を生じさせながら回動操作され、所望のレリーズモードの位置に軽い力で変位しないように固定される。レリーズモードダイヤル１２が固定された位置のレリーズモードは、第２の回路パターン部１９ｂが、足部材１２ｂと共に回動する第２のブラシ１８の接触部に接触することにより、検出される。
【００２６】
このような本実施形態によるダイヤル操作装置６によれば、１つの板バネ１４に、プレート１５に形成された突起１５ａに係合する突出部１４ａ、および足部材１２ｂに形成された突起１２ｃに係合する突出部１４ｂが、形成される。このため、プレート１５に形成された突起１５ａおよび足部材１２ｂに形成された突起１２ｃ毎に、各突起１５ａ，１２ｃと係合する突出部を有する板バネ等の板状弾性部材を複数備えずにすむ。従って、従来のダイヤルスイッチに比べて、構成部品点数を減らしたダイヤル操作装置６を提供することができると共に、減らした構成部品点数に応じてダイヤル操作装置６に要するスペースを小さくすることができる。
【００２７】
また、本実施形態によるダイヤル操作装置６によれば、各突起１５ａ，１２ｃが形成されたプレート１５および足部材１２ｂは、板バネ１４の各突出部１４ａ，１４ｂにより、カメラ筐体１ａから離れる向きに付勢される。このため、プレート１５が設けられた撮影モードダイヤル１１および足部材１２ｂが設けられたレリーズモードダイヤル１２は共に回動軸方向における一方向に付勢され、各ダイヤル１１，１２の回動軸方向、つまり、スラスト方向におけるカメラ筐体１ａへの取り付けガタが低減される。従って、各ダイヤル１１，１２は回動軸方向に遊ぶことなく回動操作され、ダイヤル操作装置６の品質は向上する。
【００２８】
また、本実施形態によるダイヤル操作装置６によれば、プレート１５に形成された突起１５ａおよび足部材１２ｂに形成された突起１２ｃは、回動軸の軸心Ｃから異なる距離離れて、回動軸方向において互いに重ならない位置に配置される。このため、これら各突起１５ａ，１２ｃと係合する各突出部１４ａ，１４ｂも互いに重ならない位置に形成されることとなり、板バネ１４は、各突出部１４ａ，１４ｂを重ねる複雑な形状でなく、単純な形状になる。従って、例えば、部品材料をプレス機によって１回プレスすることで完成するような簡単な工程で板バネ１４の製造が行えると共に、板バネ１４の形状が単純な形状をしていることによりダイヤル操作装置６の組み立てが容易に行える。
【産業上の利用可能性】
【００２９】
上記の実施形態においては、本発明によるダイヤル操作装置をデジタルカメラの撮影モードダイヤルおよびレリーズモードダイヤルに適用した場合について説明したが、種々の電子機器が持つ２段式のダイヤル操作装置に本発明を適用することも可能である。このようなダイヤル操作装置に本発明を適用した場合においても、上記の実施形態と同様の作用効果が奏される。
【符号の説明】
【００３０】
１…デジタルカメラ
１ａ…カメラ筐体
６…ダイヤル操作装置
１１…撮影モードダイヤル
１１ａ…操作部
１１ｂ…回動軸
１２…レリーズモードダイヤル
１２ａ…操作部
１２ｂ…足部材
１２ｃ…突起
１４…板バネ
１４ａ，１４ｂ…突出部
１５…プレート
１５ａ…突起
【図１】
2011018577.tif 000003
【図２】
2011018577.tif 000004
【図３】
2011018577.tif 000005
【図４】
2011018577.tif 000006